【事件の表示】
　特願２０１２−２０９８８６「液体噴射ヘッドおよび液体噴射装置」拒絶査定不服審判事件〔平成２６年　４月１７日出願公開、特開２０１４−　６５１５０、請求項の数（９）〕について、次のとおり審決する。
【結　論】
　原査定を取り消す。
　本願の発明は、特許すべきものとする。
【理　由】
第１　手続の経緯  
　本願は、平成２４年９月２４日付けの特許出願であって、原審において、平成２８年６月１４日付けで手続補正書が提出され、同年１１月１１日付けで拒絶査定（以下「原査定」という。原査定の謄本の送達（発送）日　同月２２日。）がされ、これに対して、平成２９年２月１５日に拒絶査定不服審判が請求されると同時に手続補正書が提出されて特許請求の範囲を補正する手続補正がなされ、その後、当審において同年８月２３日付けで拒絶理由が通知され、指定期間内の同年１０月２６日付けで手続補正がされたものである。  
 　  
第２　原査定の概要について  
　原査定に係る拒絶理由の概要は、次のとおりである  
　この出願の下記の請求項に係る発明は、その出願前に日本国内又は外国において頒布された、下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。  
  
 　　　　　記（引用文献等については引用文献等一覧参照）  
　＜引用文献等一覧＞  
Ａ.特開２０００−３０９０９６号公報（引用文献Ａ）  
Ｂ.特開平４−２４１９４９号公報（引用文献Ｂ）  
Ｃ.特開２００８−１４３１６７号公報（引用文献Ｃ）
Ｄ.特開２０１１−１０４７９１号公報（引用文献Ｄ）
Ｅ.特開２０１０−１４３１７１号公報（引用文献Ｅ）
 　 
　原査定時における本願の請求項１ないし１０に係る発明は、引用文献ＡないしＥに記載された発明あるいは周知の技術事項をもとに、当業者が容易になし得たものである。 
  
第３　当審で通知した拒絶理由の概要  
　当審において、平成２９年８月２３日付けで通知した拒絶理由の概要は、次のとおりである。
　本願の下記の請求項に係る発明は、その出願前に日本国内又は外国において、頒布された下記の刊行物に記載された発明に基づいて、その出願前にその発明の属する技術の分野における通常の知識を有する者が容易に発明をすることができたものであるから、特許法第２９条第２項の規定により特許を受けることができない。 
 　 
 　　　　　　　　記（引用文献については引用文献一覧参照） 
 　　　　　　　　　　（引用文献一覧）  
１．特開２０００−３０９０９６号公報（拒絶査定時の引用文献Ａであって、以下「引用例１」という。） 
２．特開２０１１−１０４７９１号公報（拒絶査定時の引用文献Ｄであって、以下「引用例２」という。） 
３．特開２０１０−１４３１７１号公報（拒絶査定時の引用文献Ｅであって、以下「引用例３」という。） 
・請求項１〜８ 
・引用文献等　引用例１、２ 
・備考  
　引用例１（特に、段落【００２６】〜【００２９】、【００４９】〜【００５１】、【００５２】〜【００５３】、及び図１、２、４、５を参照。）
　引用例２（特に、段落【００１６】、【００３７】〜【００４６】、【００５６】〜【００６１】、【００６２】〜【００６９】、【００７０】〜【００７３】、及び図１〜７を参照。） 
 　 
・本願請求項１に係る発明（以下「本願発明１」という。）について 
　本願発明１と、引用例１に記載されている発明（以下「引用発明１」という。）とを対比すると、後者の「第１基板３１」は前者の「圧電プレート」に相当しており、同様に、「（第１基板３１の長手方向中央に位置する）仕切壁３７」は「隔壁」に相当し、「仕切壁３７により仕切られている（仕切壁３７を挟むように両側に並んで形成された）溝３５」は「第一吐出溝と第二吐出溝」に相当するものといえる。そして、「溝３５（インク加圧室Ａ）と対応してノズル孔４１が穿設されているノズル板４３」は、「複数のノズルからなる第一ノズル列と第二ノズル列を有するノズルプレート」に相当し、「（２つの）インク加圧室Ａからインクを導出する（２つの）インク導出路４９（図２参照。）」は「第一吐出溝および第二吐出溝の排出経路」に相当するものといえる。 
 　 
　したがって、本願発明１と引用発明１とは、次の点で相違する。 
　（相違点１） 
　本願発明１は、「第一ノズル列の配列方向において第一吐出溝と交互に形成された複数の第一非吐出溝と、第二ノズル列の配列方向において第二吐出溝と交互に形成された複数の第二非吐出溝とを有する」のに対し、引用発明１は、非吐出溝を有するものではない点。 
　（相違点２） 
　本願発明１では、「第一吐出溝および第二吐出溝の排出経路が共通化されている」のに対し、引用発明１では、排出経路（インク導出路４９）が共通化されているか否かが明確ではない点。 
 　  
　上記の相違点について検討する。 
（１）相違点１について 
　引用例２には、「圧電プレートの複数の細長い溝は深い深溝と浅い浅溝が交互に隣接して基準方向に配列し、」「前記深溝と前記ノズルが連通し、」「浅溝５ｂ、５ｄには液体が侵入しないように構成して」「導電性の液体を使用した場合でも、浅溝５ｂの電極１６ｂと深溝５ｃの電極１６ｃの間や浅溝５ｂ内の複数の駆動電極１６ｂの間が電気的に短絡することがない。そのために導電性の液体を使用することが可能となり、かつ深溝５ａと深溝５ｃから互いに独立して同時に液滴を噴射させることができる」液体噴射ヘッドに係る発明が記載されている（段落【００１６】、【００３９】、【００４５】参照。）。 
　上記の「（ノズルが連通する）深溝」は本願発明１の「吐出溝」に相当し、同様に「（液体が侵入しない）浅溝」は「非吐出溝」に相当するから、引用例２に記載された発明（以下「引用発明２」という。）は、上記相違点１に係る本願発明１の発明特定事項を開示しているといえる。しかも、引用発明１において、導電性の液体（インク）の使用を可能にすることの優位性は明らかである。 
　してみれば、引用発明１において、引用発明２を採用することにより、上記相違点１に係る本願発明１の発明特定事項とすることは、当業者であれば容易に想到しうる程度の事項といえる。 
（２）相違点２について 
　引用例２には、独立して制御される２つのノズル（３ａ、３ｂ）を備える深溝５ａ（吐出溝）が示されている図４に関して、「深溝５ａの両端部から液体を供給し、中央部から排出」（段落【００６１】）という記載がある。この記載は、上記相違点２に係る本願発明１の発明特定事項を示唆したものといえる。そして、引用発明１と引用発明２とは、基本的な構造と機能において共通性が認められるし、排出された液体は合流して循環するから、引用発明１において、引用発明２を採用することにより、上記相違点２に係る本願発明１の発明特定事項とすることは、当業者であれば容易に想到しうる程度の事項といえる。 
（３）本願発明１の発明特定事項の全体によって奏される効果も、引用発明１、２から当業者が予測し得る範囲内のものである。 
　よって、本願発明１は、引用発明１、２に基づいて、当業者が容易に発明をすることができたものであるから、特許法第２９条第２項の規定により特許を受けることができない。 
 　 
・本願請求項２ないし８の発明（以下「本願発明２ないし８」という。）について 
（１）本願発明２は「前記第一ノズル列と前記第二ノズル列の配列方向と、前記第一吐出溝と前記第二吐出溝の長手方向が直交していること」を発明特定事項とし、本願発明３は、「前記第一ノズル列と前記第二ノズル列の配列方向に対し、前記第一吐出溝と前記第二吐出溝の長手方向が所定角度傾斜していること」を発明特定事項とするものであるが、引用例１の段落【００４９】、【００５２】の記載と図４、５には、上記のいずれの発明特定事項も開示されており、引用発明１はこれらの発明特定事項を包含するものといえる。 
（２）本願発明４は「前記第一吐出溝と前記第二非吐出溝および前記第二吐出溝と前記第一非吐出溝は、前記隔壁を介して隣り合うこと」を発明特定事項とするものである。これに対し、引用例１には、「仕切壁６３の両側に交互に位置をずらしてインク加圧室Ａが形成されている」（段落【００４９】）との記載、及び図４が示されており、上記の「仕切壁６３」は本願発明４の「隔壁」に相当し、同様に「インク加圧室Ａ」は「吐出溝」に相当するものであるから、引用例１の上記記載、及び図４は本願発明４に係る発明特定事項を示唆するものといえる。 
（３）本願発明５は、「前記第一吐出溝と前記第二吐出溝および前記第一非吐出溝と前記第二非吐出溝は、前記隔壁を介して隣り合うこと」を発明特定事項とするものである。一方、引用例１の段落【０００４】〜【０００６】及び図７には溝（吐出溝）５同士が仕切壁（隔壁）７を介して隣り合う構成を従来技術として示す記載があり、引用例１の当該記載は上記発明特定事項を示唆するものといえる。 
（４）本願発明６は、「前記複数のノズルは、ノズルの配列方向において前記第一ノズル列のノズルが前記第二ノズル列のノズル間に位置する千鳥配列であること」を発明特定事項とするものである。一方、引用例１には、「このインクジェットヘッドでは、隔壁６１が仕切壁６３の両側に千鳥状に形成されている。」「第２基板６５には、インク加圧室Ａに対応してガイド孔６７の形成位置がずれて形成されている。」との記載（段落【００４９】）と共に、これに関連して図４が示されており、上記の「ガイド孔６７」とノズル孔（ノズル）の形成位置は対応しているから、引用例１の上記記載、及び図４は本願発明６に係る発明特定事項を開示しているといえる。 
（５）本願発明７は「前記第一吐出溝に連通し前記第一吐出溝に液体を供給する第一供給インク室、前記第一吐出溝から液体を排出する第一排出インク室、前記第二吐出溝に連通し前記第二吐出溝に液体を供給する第二供給インク室および前記第二吐出溝から液体を排出する第二排出インク室を有するカバープレートを備えたこと」を発明特定事項とするものである。 
　これに対し、引用例１には「第２基板３９には、ノズル孔４１に連結するガイド孔４５と、インク加圧室Ａにインクを導入するインク導入路４７、インク加圧室Ａからインクを導出するインク導出路４９が形成されている。」（段落【００２８】）との記載と共に図１、２が示されている。そして、図２は、仕切壁３７を挟んで対向する２つのインク加圧室Ａのそれぞれに対応して、「インク導入路４７」と「インク導出路４９」とが形成されることを示しているから、上記の「インク加圧室Ａにインクを導入するインク導入路４７、インク加圧室Ａからインクを導出するインク導出路４９」は、本願発明７の「第一吐出溝に連通し第一吐出溝に液体を供給する第一供給インク室、第一吐出溝から液体を排出する第一排出インク室、第二吐出溝に連通し第二吐出溝に液体を供給する第二供給インク室および第二吐出溝から液体を排出する第二排出インク室」に相当しており、引用文献１記載の「第２基板３９」は本願発明７の「カバープレート」に相当する。したがって、引用発明１は本願発明７に係る発明特定事項を包含するものといえる。 
（６）本願発明８は「前記第一供給インク室と前記第二供給インク室へ液体を供給する供給ポートおよび前記第一排出インク室と前記第二排出インク室から液体を排出する排出ポートを有する流路部材を備えたこと」を発明特定事項とするものである。 
　一方、引用例２には「液体噴射ヘッド１はノズルプレート２と圧電プレート４とカバープレート８と流路部材１１の積層構造を備えている・・・流路部材１１は、カバープレート８側の他方面に開口する凹部からなる液体供給室１２及び液体排出室１３を備え、カバープレート８とは反対側の一方面には液体供給室１２及び液体排出室１３にそれぞれ連通する供給用継手１４及び排出用継手１５を備えている。」（【００６３】〜【００６４】参照。）という記載があって、上記の「液体供給室、液体排出室」は、本願発明８の「供給インク室、排出インク室」に相当し、同様に「供給用継手、排出用継手」は「供給ポート、排出ポート」に相当する。 
　引用発明１と引用発明２との間には、基本的な構造と機能において共通するところが認められ、２つのインク加圧室Ａのそれぞれに対応して「インク導入路（供給インク室）」と「インク導出路（排出インク室）」とが形成される引用発明１において、引用発明２と同様の積層構造と流路部材に係る構成を採用して、本願発明８の発明特定事項とすることに格別の困難性は認められない。 
（７）よって、本願発明２ないし８は、引用発明１、２に基づいて、当業者が容易に発明をすることができたものであるから、特許法第２９条第２項の規定により特許を受けることができない。 
 　 
・請求項９、１０ 
・引用文献等　引用例１、２、３ 
・備考  
　引用例１、２（特に、上記の指摘個所を参照。） 
　引用例３（特に、段落【００１２】、【００１３】、【００１９】〜【００２６】、及び図１ないし５を参照。） 
 　 
・本願請求項９、１０に係る発明（以下「本願発明９、１０」という。）について 
（１）本願発明９は「前記ノズルプレートと前記圧電プレートの間に接合された補強板を有し、前記補強板は前記複数のノズルと前記第一吐出溝および前記第二吐出溝とをそれぞれ連通する複数の貫通穴を有すること」を発明特定事項とするものである。 
　一方、引用例３には、「インクジェットヘッド１１は、圧電部材１５、基板１２、ノズルプレート６、補強部材７、枠部材１６で構成されている。」（段落【００１３】）、「圧電部材１５の上には補強部材７とノズルプレート６が接着されている。ノズルプレート６にはノズル４が圧力室９の長手方向において中央部に形成され、補強部材７には各々の圧力室９とノズル４を流体的に連通する開口部５が形成されている。」（段落【００１９】）との記載がある。 
　上記の「補強部材７」及び「開口部５」は、本願発明９の「補強板」及び「貫通穴」に相当するもので、引用例３には、本願発明９に係る上記の発明特定事項と同様の技術事項が開示されている。 
　引用発明１においても、必要に応じて、引用例３に係る上記の技術事項を採用して、本願発明９の発明特定事項とすることは、当業者であれば容易に想到しうる程度の事項といえる。 
（２）本願発明１０は「請求項１乃至９のいずれか一項に記載の液体噴射ヘッドを有する液体噴射装置。」を発明特定事項とするものであるが、引用例１ないし３にも、液体噴射装置あるいはそれに相当するものが実質的に開示されていると認められる。 
（３）よって、本願発明９、１０は、引用発明１、２、または引用発明１、２、及び引用例３に記載された周知の技術事項に基づいて、当業者が容易に発明をすることができたものであるから、特許法第２９条第２項の規定により特許を受けることができない。 
 　 
第４　本願発明  
　本願の請求項１ないし９に係る発明（以下「本願発明１」ないし「本願発明９」という。）は、平成２９年１０月２６日付けの手続補正書で補正された特許請求の範囲の請求項１ないし９に記載された事項により特定される次のとおりのものである。（上記の補正によって、補正前の請求項７は削除されて、請求項の数は９となった。）  
　「【請求項１】
　複数のノズルからなる第一ノズル列と第二ノズル列を有するノズルプレートを備えた液体噴射ヘッドにおいて、
　前記第一ノズル列の前記複数のノズルに連通する複数の第一吐出溝と、前記第二ノズル列の前記複数のノズルに連通する複数の第二吐出溝とを有する圧電プレートを備え、
　前記第一吐出溝と前記第二吐出溝は、前記第一吐出溝と前記第二吐出溝の間に位置する隔壁によって分離されており、
　前記第一ノズル列の配列方向において前記第一吐出溝と交互に形成された複数の第一非吐出溝と、前記第二ノズル列の配列方向において前記第二吐出溝と交互に形成された複数の第二非吐出溝とを有し、
　前記第一吐出溝および前記第二吐出溝の排出経路が共通化されている、
　液体噴射ヘッドであって、
　前記第一吐出溝に連通し前記第一吐出溝に液体を供給する第一供給インク室、前記第一吐出溝から液体を排出する第一排出インク室、前記第二吐出溝に連通し前記第二吐出溝に液体を供給する第二供給インク室および前記第二吐出溝から液体を排出する第二排出インク室を有するカバープレートを備え、かつ
　前記第一排出インク室と前記第二排出インク室からの排出経路を内部で共通化する、前記カバープレートに付設された流路部材を備えることを特徴とする液体噴射ヘッド。
　　【請求項２】
　前記第一ノズル列と前記第二ノズル列の配列方向と、前記第一吐出溝と前記第二吐出溝の長手方向が直交していることを特徴とする請求項１に記載の液体噴射ヘッド。
　　【請求項３】
　前記第一ノズル列と前記第二ノズル列の配列方向に対し、前記第一吐出溝と前記第二吐出溝の長手方向が所定角度傾斜していることを特徴とする請求項１に記載の液体噴射ヘッド。
　　【請求項４】
　前記第一吐出溝と前記第二非吐出溝および前記第二吐出溝と前記第一非吐出溝は、前記隔壁を介して隣り合うことを特徴とする請求項１〜３のいずれか一項に記載の液体噴射ヘッド。
　　【請求項５】
　前記第一吐出溝と前記第二吐出溝および前記第一非吐出溝と前記第二非吐出溝は、前記隔壁を介して隣り合うことを特徴とする請求項１〜３のいずれか一項に記載の液体噴射ヘッド。
　　【請求項６】
　前記複数のノズルは、ノズルの配列方向において前記第一ノズル列のノズルが前記第二ノズル列のノズル間に位置する千鳥配列であることを特徴とする請求項１〜５のいずれか一項に記載の液体噴射ヘッド。
　　【請求項７】
　前記流路部材は、前記第一供給インク室と前記第二供給インク室へ液体を供給する供給ポートおよび前記第一排出インク室と前記第二排出インク室から液体を排出する排出ポートを有することを特徴とする請求項１〜６のいずれか一項に記載の液体噴射ヘッド。
　　【請求項８】
　前記ノズルプレートと前記圧電プレートの間に接合された補強板を有し、前記補強板は前記複数のノズルと前記第一吐出溝および前記第二吐出溝とをそれぞれ連通する複数の貫通穴を有することを特徴とする請求項１〜７のいずれか一項に記載の液体噴射ヘッド。
　　【請求項９】
　請求項１乃至８のいずれか一項に記載の液体噴射ヘッドを有する液体噴射装置。」  
 　  
第５　引用例の記載事項（以下の下線は、いずれも審決で付した。）  
１．引用例１  
　引用例１には、図面と共に次の事項が記載されている。 
　「【００２６】
【発明の実施の形態】図１は、本発明のインクジェットヘッドの一部を示す斜視図であり、図２は溝の長手方向の断面図、つまり図１のａ−ａ線に沿った断面図である。
【００２７】本発明の
インクジェットヘッドは、第１基板３１に圧電材料からなる複数条の隔壁３３が一体に形成され、これらの隔壁３３間の溝３５が、各インク加圧室Ａを形成するための仕切壁３７により仕切られている
【００２８】
隔壁３３および仕切壁３７の頂部には第２基板３９が接合され、この第２基板３９の上面にはノズル孔４１を有するノズル板４３が接合されている
ノズル孔４１はノズル板４３に溝３５（インク加圧室Ａ）と対応して穿設されている
第２基板３９には、ノズル孔４１に連結するガイド孔４５と、インク加圧室Ａにインクを導入するインク導入路４７、インク加圧室Ａからインクを導出するインク導出路４９が形成されている
ノズル板４３のノズル孔４１と、第２基板３９のガイド孔４５は連通している
【００２９】そして、本発明のインクジェットヘッドでは、第１基板３１に隔壁３３と仕切壁３７とが一体に形成されている。」 
　「【００４９】図４は、本発明の他の例を示すもので、このインクジェットヘッドでは、隔壁６１が、仕切壁６３の両側に千鳥状に形成されている。即ち、仕切壁６３を中心にして考えると、仕切壁６３の両側に交互に位置をずらして隔壁６１が形成されている。言い換えれば、仕切壁６３の両側に交互に位置をずらしてインク加圧室Ａが形成されている。第２基板６５には、インク加圧室Ａに対応してガイド孔６７の形成位置がずれて形成されている。これにより、ガイド孔６７群の配列方向と直交する軸の位置が、仕切壁６３の両側ではｈ１ピッチとなる。
【００５０】このようなインクジェットヘッドでは、例えば、溝幅と同一厚みを有する円盤状の切削工具を、回転軸に隔壁の厚み（インク加圧室の間隔）と同じ間隔を置いて固定し、これを用いて、仕切壁６３の一方側の隔壁６１群を形成し、この後、回転軸を軸方向にずらして、仕切壁６３の他方側の隔壁６１群を形成することにより作製できる。尚、製造方法については、上記した成形型を用いて作製しても良いことは勿論である。
【００５１】以上のように構成されたインクジェットヘッドでは、仕切壁６３の一方側のガイド孔６７群の配列方向と直交する軸と、他方側のガイド孔６７群の配列方向と直交する軸のピッチがｈ１となり、一方側のガイド孔６７群のピッチｘよりも小さくなるため、ドット密度を高くでき、高解像度の印字、画像を得ることができる。」 
　「【００５２】また、図５に示すように、隔壁７１を、仕切壁７３の両側に千鳥状に形成するとともに、隔壁７１を、第２基板７５のガイド孔７７群の配列方向と直交する軸に対して、隔壁７１の形成方向が傾斜されている。
【００５３】このようなインクジェットヘッドでは、仕切壁７３の一方側のガイド孔７７群の配列方向と直交する軸と、他方側のガイド孔７７群の配列方向と直交する軸のピッチがｈ２となり、一方側のガイド孔７７群のピッチｘよりもかなり小さくなるため、ドット密度を高くでき、高解像度の印字、画像を得ることができる。」
　また、以下のとおり、段落【００２７】、【００２８】、及び図１ないし３から次の事項が示されているといえる。
　「本発明のインクジェットヘッドは、第１基板３１に圧電材料からなる複数条の隔壁３３が一体に形成され、これらの隔壁３３間の溝３５が、各インク加圧室Ａを形成するための仕切壁３７により仕切られている」（段落【００２７】）、「ノズル孔４１はノズル板４３に溝３５（インク加圧室Ａ）と対応して穿設されている」（段落【００２８】）との記載も参酌すると、図１ないし３から、
インク加圧室Ａは仕切壁３７を挟むように、仕切壁３７の両側に並んで形成されて
ノズル板４３に穿設されたノズル孔４１は、
「複数のノズルからなる第一ノズル列と第二ノズル列」を形成している
　更に、図１及び２から、
第２基板３９には、
それぞれの各インク加圧室Ａごとにインク導入路４７からインクを導入するための連通孔と、インク加圧室Ａからインク導出路４９へインクを導出するための連通孔とが形成されている
　
　上記の記載事項を総合すると、引用例１には、次の発明（以下「引用発明１」という。）が記載されていると認定できる。
　「第１基板３１に圧電材料からなる複数条の隔壁３３が一体に形成され、これらの隔壁３３間の溝３５が、各インク加圧室Ａを形成するための仕切壁３７により仕切られているインクジェットヘッドであって、
　隔壁３３および仕切壁３７の頂部には第２基板３９が接合され、第２基板３９の上面にはノズル孔４１を有するノズル板４３が接合されていて、
　ノズル板４３に穿設されたノズル孔４１は、複数のノズルからなる第一ノズル列と第二ノズル列を形成しており、
　第２基板３９には、ノズル孔４１に連結するガイド孔４５と、インク加圧室Ａにインクを導入するインク導入路４７と、インク加圧室Ａからインクを導出するインク導出路４９と共に、それぞれの各インク加圧室Ａごとにインク導入路４７からインクを導入するための連通孔と、インク加圧室Ａからインクをインク導出路４９へ導出するための連通孔とが形成されている、
　インクジェットヘッド。」
 　  
２．引用例２  
　引用例２には、図面と共に次の事項が記載されている。  
　「【００１６】
　本発明による
液体噴射ヘッドは、被記録媒体に液体を噴射する複数のノズルが基準方向に配列するノズルプレートと、一方面に複数の細長い溝がその長手方向に直交する基準方向に配列し、他方面に前記ノズルプレートを接合する圧電プレートと、前記溝に前記液体を供給する液体供給孔と前記溝から前記液体を排出する液体排出孔を有し、前記圧電プレートに前記圧電プレートの溝を覆うように設置したカバープレートとを備え、前記圧電プレートの複数の細長い溝は深い深溝と浅い浅溝が交互に隣接して基準方向に配列し、
前記深溝と前記ノズルが連通し、前記カバープレートは、前記圧電プレートの一方面に開口する前記浅溝の開口部を閉塞し、前記圧電プレートの一方面に開口する前記深溝と前記液体供給孔及び前記液体排出孔とを連通するように覆う
　「【００３７】
　（第一実施形態）
　図１は、本発明の第一実施形態である液体噴射ヘッド１の模式的な分解斜視図であり、図２（ａ）は部分ＡＡの模式的な縦断面図であり、図２（ｂ）は部分ＢＢの模式的な縦断面図であり、図２（ｃ）は部分ＣＣの模式的な縦断面図である。
【００３８】
　
液体噴射ヘッド１は、ノズルプレート２、圧電プレート４、カバープレート８、及び流路部材１１が積層した構造を備えている
【００３９】
　圧電プレート４の一方面７にカバープレート８を貼り合せて接合する。カバープレート８として圧電プレート４と同じ材料を使用することができる。・・・カバープレート８は、その一方面から他方面にかけて貫通する液体供給孔９と液体排出孔１０を備えている。液体供給孔９は浅溝５ｂ、５ｄを閉塞する供給孔閉塞部９ｘ、９ｙを備えている。同様に、液体排出孔１０は浅溝５ｂ、５ｄを閉塞するための排出孔閉塞部１０ｘ、１０ｙを備えている。このように、浅溝５ｂ、５ｄには液体が侵入しないように構成している。」
　「【００５６】
　（第三実施形態）
　図４は、本発明の第三実施形態である液体噴射ヘッド１の模式的な縦断面図である。本第三実施形態は、
ノズルプレート２が１つの深溝５ａに対応する２つのノズル３ａ、３ｂを備え
【００５７】
　図４に示すように、
液体噴射ヘッド１はノズルプレート２、圧電プレート４、カバープレート８、流路部材１１の順に積層構造を備えている
【００５８】
　
流路部材１１は、カバープレート８の液体供給孔９に対応する液体供給室１２と、２つの液体排出孔１０ａ、１０ｂのそれぞれ対応する液体排出室１２ａ、１２ｂを備えている
　「【００６０】
　深溝５ａを仕切る側壁を変形させるための側壁面に設けた図示しない駆動電極は、深溝５ａ及び浅溝５ｂの長手方向中央部において電気的に分離している。ノズル３ａから液体を噴射させる場合は、ノズル３ａ側の駆動電極に駆動電圧を与えてノズル３ａ側の側壁を変形させ、ノズル３ｂから液体を噴射させる場合は、ノズル３ｂ側の駆動電極に駆動電圧を与えてノズル３ｂ側の側壁を変形させる。・・・」
　【００６１】
　なお、上記第三実施形態では深溝５ａの中央部から液体を供給し両端部から液体を排出したがこれに限定されない。例えば、
深溝５ａの両端部から液体を供給し、中央部から排出してもよい
 　  
　上記の記載事項を総合すると、引用例２には、次の発明（以下「引用発明２」という。）が記載されていると認定できる。  
　「被記録媒体に液体を噴射する複数のノズルが基準方向に配列するノズルプレート２と、一方面に複数の細長い溝がその長手方向に直交する基準方向に配列し、他方面に前記ノズルプレートを接合する圧電プレート４と、前記溝に前記液体を供給する液体供給孔と前記溝から前記液体を排出する液体排出孔を有し、前記圧電プレートに前記圧電プレートの溝を覆うように設置したカバープレート８、及び流路部材１１を、ノズルプレート２、圧電プレート４、カバープレート８、流路部材１１の順に積層した構造を備える液体噴射ヘッド１であって、 
　前記圧電プレートの複数の細長い溝は深い深溝と浅い浅溝が交互に隣接して基準方向に配列し、前記深溝と前記ノズルが連通し、前記カバープレートは、前記圧電プレートの一方面に開口する前記浅溝の開口部を閉塞し、前記圧電プレートの一方面に開口する前記深溝と前記液体供給孔及び前記液体排出孔とを連通するように覆っており、
  流路部材１１は、カバープレート８の液体供給孔９に対応する液体供給室１２と、２つの液体排出孔１０ａ、１０ｂのそれぞれ対応する液体排出室１２ａ、１２ｂを備え、
　ノズルプレート２が１つの深溝５ａに対応する２つのノズル３ａ、３ｂを備え、深溝５ａの両端部から液体を供給し、中央部から排出する、
　液体噴射ヘッド。」  
 　 
３．引用例３  
　引用例３には、図面と共に次の事項が記載されている。  
　「【００１３】
  
インクジェットヘッド１１は、圧電部材１５、基板１２、ノズルプレート６、補強部材７、枠部材１６で構成されている
　「【００１９】
  
圧電部材１５の上には補強部材７とノズルプレート６が接着されている
ノズルプレート６にはノズル４が圧力室９の長手方向において中央部に形成され、補強部材７には各々の圧力室９とノズル４を流体的に連通する開口部５が形成されている
　「【００２３】
  
補強部材７は
ニッケル板を用いている
　また、図１、及び上記の「圧電部材１５の上には補強部材７とノズルプレート６が接着されている。」（段落【００１９】）の記載から、「
ノズルプレートと圧電部材との間に、板状の補強部材を接合している
　
　上記の記載事項を総合すると、引用例３には、「インクジェットヘッドにおいて、ノズルプレートと圧電部材との間に、板状の補強部材を接合して、補強部材には圧力室とノズルを流体的に連通する開口部を形成する」という技術的事項（以下「引用例３に記載の技術事項」という。）が記載されていると認められる。 　  
 　  
第６　当審で通知した拒絶理由についての当審の判断 
１．本願発明１について  
（１）対比  
　本願発明１と引用発明１とを対比する。  
　後者の「インクジェットヘッド」は、その構造及び機能からみて、前者の「液体噴射ヘッド」に相当しており、以下同様に、「第１基板３１」は「圧電プレート」に、「仕切壁３７」は「隔壁」に、「仕切壁３７により仕切られている（仕切壁３７を挟むように両側に並んで形成された）各インク加圧室Ａ」は「第一吐出溝と第二吐出溝の間に位置する隔壁によって分離されている第一吐出溝と第二吐出溝」に、「複数のノズルからなる第一ノズル列と第二ノズル列を形成しているノズル孔４１が穿設されているノズル板４３」は、「複数のノズルからなる第一ノズル列と第二ノズル列を有するノズルプレート」に、「第２基板３９」は「カバープレート」に、それぞれ相当している。
　そして、後者の「仕切壁３７により仕切られている（仕切壁３７を挟むように両側に並んで形成された）各インク加圧室Ａ」は、第２基板３９に形成されたガイド孔４５を介してノズル孔４１と連通しているところから、前者の「第一ノズル列の複数のノズルに連通する複数の第一吐出溝と、第二ノズル列の前記複数のノズルに連通する複数の第二吐出溝」に相当するものといえる。
　また、後者において、第２基板３９に形成された「それぞれの各インク加圧室Ａごとにインク導入路４７からインクを導入するための連通孔と、インク加圧室Ａからインクをインク導出路４９へ導出するための連通孔」は、前者における「第一吐出溝に連通し前記第一吐出溝に液体を供給する第一供給インク室、前記第一吐出溝から液体を排出する第一排出インク室、第二吐出溝に連通し前記第二吐出溝に液体を供給する第二供給インク室および前記第二吐出溝から液体を排出する第二排出インク室」に相当する。
 　  
　したがって、両者は、  
　「複数のノズルからなる第一ノズル列と第二ノズル列を有するノズルプレートを備えた液体噴射ヘッドにおいて、
　前記第一ノズル列の前記複数のノズルに連通する複数の第一吐出溝と、前記第二ノズル列の前記複数のノズルに連通する複数の第二吐出溝とを有する圧電プレートを備え、
　前記第一吐出溝と前記第二吐出溝は、前記第一吐出溝と前記第二吐出溝の間に位置する隔壁によって分離されている、
　液体噴射ヘッドであって、
　前記第一吐出溝に連通し前記第一吐出溝に液体を供給する第一供給インク室、前記第一吐出溝から液体を排出する第一排出インク室、前記第二吐出溝に連通し前記第二吐出溝に液体を供給する第二供給インク室および前記第二吐出溝から液体を排出する第二排出インク室を有するカバープレートを備える、液体噴射ヘッド。」  
　の点で一致し、以下の点で相違している。  
 　  
　［相違点１］  
　本願発明１は「第一ノズル列の配列方向において第一吐出溝と交互に形成された複数の第一非吐出溝と、第二ノズル列の配列方向において第二吐出溝と交互に形成された複数の第二非吐出溝とを有する」のに対し、引用発明１は、非吐出溝を有するものではない点。 
　［相違点２］  
　本願発明１では、「第一吐出溝および第二吐出溝の排出経路が共通化されている」のに対し、引用発明１では、排出経路（インク導出路４９）が共通化されているか否かが明確ではない点。
　［相違点３］
　本願発明１は「第一排出インク室と前記第二排出インク室からの排出経路を内部で共通化する、前記カバープレートに付設された流路部材」を備えるのに対し、引用発明１は、そのようなものではない点。
  
（２）判断  
　まず、上記の相違点３について検討する。 
　ここで引用発明２についてみると、引用発明２における、「（カバープレート８に積層された）流路部材１１」は、本願発明１の「カバープレートに付設された流路部材」に相当するものといえる。
　しかし、引用発明２に係る液体噴射ヘッドは、「２つのノズル３ａ、３ｂを備え、深溝５ａの両端部から液体を供給し、中央部から排出する」ものであっても、液体の排出経路は１つしかないから（引用例２の図４参照。）、流路部材１１は、「第一排出インク室と前記第二排出インク室からの排出経路を内部で共通化する」ものではない。
　また、引用発明１の「第２基板３９（カバープレート）」は、第１基板３１に形成されている「隔壁３３および仕切壁３７の頂部」に接合され、「第２基板３９の上面にはノズル孔４１を有するノズル板４３が接合されて」いるから、引用発明２に係る流路部材、あるいはこれに相当するものを付設する余地がなく、引用発明１に引用発明２を適用することができない。
　また、上記相違点３に係る本願発明１の発明特定事項が、当業者にとって設計事項であるとする根拠もない。
　なお、引用例３に記載の技術事項にも、上記相違点３に係る本願発明１の発明特定事項は示されていない。
　してみると、他の相違点について判断するまでもなく、本願発明１は、引用発明１及び２に基づいて、当業者が容易に発明をすることができたものとはいえない。  
 　  
２．本願発明２ないし９について  
　本願発明２ないし９は、本願発明１を引用する発明であり、本願発明１と同様の理由により、本願発明２ないし９も、引用発明１及び２に基づいて、当業者が容易に発明をすることができたものとはいえない。
第７　原査定についての判断  
１．引用文献Ｂ、Ｃの記載事項
　引用文献Ａ（引用例１）、引用文献Ｄ（引用例２）、引用文献Ｅ（引用例３）の記載事項等については、上記「第５　引用例の記載事項」で指摘したとおりである。
　そして、引用文献Ｂ（特開平４−２４１９４９号公報）には、図面と共に次の事項が記載されている。
　「【０００１】
【産業上の利用分野】本発明は、ドロップ・オン・デマンド（ＤＯＤ）型の
インクジェットヘッド
　「【０００９】
【実施例】以下本発明による実施例を図面に基づいて説明する。図１は従来例の図８に対応する本発明によるインクジェットヘッドの構成の第１の実施例であり、
絶縁性基板１上に圧電性素材の隔壁５が等間隔かつ平行に接着され、インク室兼インク流路の細長い溝２が形成される
ノズル穴３を有する上板８が前記溝
を覆うように取り付けられる
　「【００１３】
図３は本発明の第２の実施例である
ここでは、図１における絶縁性基板１と隔壁５とを一体に形成した圧電性素材の基板３１を用い
インク室兼インク流路の溝２
　「【００１６】
図７は本発明による第５の実施例で、図３のヘッド２個を一体化したことに相当する
図３と同じピッチのノズル穴が２列に並ぶ
　図７から、２列のノズル穴列３が上板８に形成されており、
圧電性素材の基板に形成された溝２（インク室兼インク流路）はそれぞれノズル穴列に通じると共に、２つのノズル穴列の中間部に対応する位置で、圧電性素材の基板内の隔壁部によって区分されている
　
　上記の記載事項を総合すると、引用文献Ｂには、次の発明（以下「引用文献Ｂ記載の発明」という。）が記載されていると認定できる。  
　「２列のノズル穴列３が形成された上板８が、圧電性素材の基板に形成されたインク室兼インク流路である溝２を覆うように取り付けられ、圧電性素材の基板に形成された溝２はそれぞれ対応するノズル穴に通じると共に、２つのノズル穴列の中間部に対応する位置で、圧電性素材の基板内の隔壁部によって区分されているインクジェットヘッド。」
　
　また、引用文献Ｃ（特開２００８−１４３１６７号公報）には、図面と共に次の事項が記載されている。
　「【０００１】
  本発明は
インクジェットヘッド
インクを吐出するインクチャネルとインクを吐出しない空気チャネルとが交互に並設された複数のチャネル列を有するヘッドチップ
インクジェットヘッド
　「【００３２】
  以下、本発明の実施の形態について図面を用いて説明する。
【００３３】
  図１は、本発明に係るインクジェットヘッドのヘッドチップ部分を後面側から見た分解斜視図・・・である。
【００３４】
  図中、
１はヘッドチップ、２はヘッドチップ１の前面に接合されたノズルプレートである
・・・
【００３６】
  
ヘッドチップ１には、圧電素子からなる駆動壁１１とチャネル１２、１３とが交互に並設されたチャネル列が、
上下に２列に並設されている
【００３７】
  ここでは、図示
下側に位置するチャネル列をＡ列、上側に位置するチャネル列をＢ列
【００３８】
  この
ヘッドチップ１は、各チャネル列が、チャネル一つおきにインクを吐出するインクチャネル１２とインクを吐出しない空気チャネル１３とが並設される
・・・
【００４０】
  また、
Ａ列とＢ列とは、各インクチャネル１２と各空気チャネル１３とが１ピッチずれて形成されている
　
　上記の記載事項を総合すると、引用文献Ｃには、次の発明（以下「引用文献Ｃ記載の発明」という。）が記載されていると認定できる。  
　「ヘッドチップ１と、ヘッドチップ１の前面に接合されたノズルプレート２とを備えるインクジェットヘッドであって、
　ヘッドチップ１には、圧電素子からなる駆動壁１１とチャネル１２、１３とが交互に並設されたチャネル列が、上下に２列（下側に位置するチャネル列をＡ列、上側に位置するチャネル列をＢ列とする）並設され、各チャネル列は、チャネル一つおきにインクを吐出するインクチャネル１２とインクを吐出しない空気チャネル１３とが並設されるものであり、
　Ａ列とＢ列とは、各インクチャネル１２と各空気チャネル１３とが１ピッチずれて形成されているインクジェットヘッド。」
　
２．対比と判断
　本願発明１と引用文献Ａ記載の発明（引用発明１）とを対比すると、上記「第６　１．（１）」での検討を踏まえるに、両者は上記相違点１ないし３の点で相違し、他に相違する点はない。
　上記相違点３について検討すると、引用文献Ｂ記載の発明に係る「インクジェットヘッド」と引用文献Ｃ記載の発明に係る「インクジェットヘッド」は、いずれも本願発明１における「液体噴射ヘッド」に相当するものといえるが、いずれのインクジェットヘッドも、上記相違点３に係る「流路部材」を備えるものではない。
　してみると、引用文献Ｂ記載の発明と、引用文献Ｃ記載の発明とは、いずれも上記相違点３に係る本願発明１の発明特定事項を開示するものではないし、示唆するものでもない。
　また、上記相違点３に係る本願発明１の発明特定事項が、当業者にとって設計事項であるとする根拠もない。
　したがって、本願発明１は、引用文献ＡないしＥに記載された発明あるいは周知の技術事項に基づいて、当業者が容易に発明をすることができたものとはいえない。
　また、本願発明２ないし９は、本願発明１を引用する発明であり、本願発明１と同様の理由により、当業者が容易に発明をすることができたものとはいえない。
　よって、原査定を維持することはできない。  
 　  
第８　むすび  
　以上のとおり、原査定の理由によって、本願を拒絶することはできない。　また、他に本願を拒絶すべき理由を発見しない。  
 　  
　よって、結論のとおり審決する。